(57)【要約】【課題】宣伝効果を高めることができる広告提供装置及び広告提供方法を提供する。【解決手段】広告提供装置１は、乗員を撮像する撮像部１０と、車両外に向けて広告を提供する広告提供部１２と、広告の変化の回数をカウントするカウント部１４と、車両内の乗員の動きを判定し、判定した乗員の動きに応じて広告を変化させるように広告提供部１２を制御する制御部１８と、を備えて概略構成されている。この広告提供装置１は、宣伝効果を高めることができる。【選択図】図６
2019184634.tif 000002
【特許請求の範囲】
【請求項１】
車両外に向けて広告を提供する広告提供部と、
前記車両内の乗員の動きを判定し、判定した前記乗員の動きに応じて前記広告を変化させるように前記広告提供部を制御する制御部と、
を備えた広告提供装置。
【請求項２】
前記広告提供部は、前記広告を画像として前記車両のリアガラス及びサイドガラスの少なくとも１つに表示させる、
請求項１に記載の広告提供装置。
【請求項３】
前記制御部は、前記広告として表示された画像の色の変化、形状の変化、画像の切替、及び画像の重畳の少なくとも１つによって前記広告を変化させる、
請求項１又は２の記載の広告提供装置。
【請求項４】
さらに前記広告の変化の回数をカウントするカウント部を有し、
前記制御部は、前記カウント部がカウントした前記広告の変化の回数に応じて前記広告の提供による提供料金の追加分を算出する、
請求項１乃至３のいずれか１項に記載の広告提供装置。
【請求項５】
車両外に向けて広告を提供し、
前記車両内の乗員の動きを判定し、
判定した前記乗員の動きに応じて前記広告を変化させ、
前記広告の変化の回数に応じて前記広告の提供による提供料金の追加分を算出する、
広告提供方法。
【発明の詳細な説明】
【技術分野】
【０００１】
本発明は、広告提供装置及び広告提供方法に関する。
【背景技術】
【０００２】
従来の技術として、電子化した広告データを無線で車両に送信し、車両に設置した受信機で広告データを受信し、受信した広告データを車両に設置した広告表示装置により表示するようにした車両用広告表示方法が知られている（例えば、特許文献１参照。）。
【０００３】
この車両用広告表示方法は、車外の人に対する広告として宣伝効果が高い。
【先行技術文献】
【特許文献】
【０００４】
【特許文献１】特開２００２−６３４８２号公報
【発明の概要】
【発明が解決しようとする課題】
【０００５】
しかし従来の車両用広告表示方法は、予め用意された広告による宣伝効果以上の宣伝効果を得ることができない。
【０００６】
従って本発明の目的は、宣伝効果を高めることができる広告提供装置及び広告提供方法を提供することにある。
【課題を解決するための手段】
【０００７】
本発明の一態様は、車両外に向けて広告を提供する広告提供部と、車両内の乗員の動きを判定し、判定した乗員の動きに応じて広告を変化させるように広告提供部を制御する制御部と、を備えた広告提供装置を提供する。
【０００８】
また本発明の他の態様は、車両外に向けて広告を提供し、車両内の乗員の動きを判定し、判定した乗員の動きに応じて広告を変化させ、広告の変化の回数に応じて広告の提供による提供料金の追加分を算出する、広告提供方法を提供する。
【発明の効果】
【０００９】
本発明によれば、宣伝効果を高めることができる。
【図面の簡単な説明】
【００１０】
【図１】図１（ａ）は、実施の形態に係る広告提供装置が含まれる広告提供システムの一例を示す概略図であり、図１（ｂ）は、広告提供装置のブロック図の一例である。
【図２】図２（ａ）は、実施の形態に係る広告提供装置が提供する広告の一例を示す概略図であり、図２（ｂ）は、広告提供装置が判定する乗員の動きの一例を示す概略図であり、図２（ｃ）は、撮像部と広告提供部の配置の一例を説明するための車両の要部断面図である。
【図３】図３（ａ）〜図３（ｃ）は、実施の形態に係る広告提供装置の広告の画像の色の変化の一例を説明するための概略図である。
【図４】図４（ａ）〜図４（ｃ）は、実施の形態に係る広告提供装置の広告の画像の形状の変化の一例を説明するための概略図であり、図４（ｄ）〜図４（ｆ）は、広告提供装置の広告の画像の切替の一例を説明するための概略図である。
【図５】図５（ａ）〜図５（ｃ）は、実施の形態に係る広告提供装置の広告の画像の切替の他の一例を説明するための概略図であり、図５（ｄ）〜図５（ｆ）は、広告提供装置の広告の画像の重畳の一例を説明するための概略図である。
【図６】図６は、実施の形態に係る広告提供装置の動作の一例を示すフローチャートである。
【発明を実施するための形態】
【００１１】
（実施の形態の要約）
実施の形態に係る広告提供装置は、車両外に向けて広告を提供する広告提供部と、車両内の乗員の動きを判定し、判定した乗員の動きに応じて広告を変化させるように広告提供部を制御する制御部と、を備えて概略構成されている。
【００１２】
この広告提供装置は、乗員の動きに応じて広告が固定ではなく変化するので、広告の表示が固定されている場合と比べて、宣伝効果を高めることができる。
【００１３】
[実施の形態]
（広告提供装置１の概要）
図１（ａ）は、実施の形態に係る広告提供装置が含まれる広告提供システムの一例を示す概略図であり、図１（ｂ）は、広告提供装置のブロック図の一例である。図２（ａ）は、実施の形態に係る広告提供装置が提供する広告の一例を示す概略図であり、図２（ｂ）は、広告提供装置が判定する乗員の動きの一例を示す概略図であり、図２（ｃ）は、撮像部と広告提供部の配置の一例を説明するための車両の要部断面図である。なお以下に記載する実施の形態に係る各図において、図形間の比率は、実際の比率とは異なる場合がある。また図１（ａ）及び図１（ｂ）では、主な情報の流れを矢印で示している。
【００１４】
本実施の形態の広告提供装置１は、車両８に搭載されている。そして広告提供装置１は、例えば、図１（ａ）に示すように、仲介業者９０及びクラウド９１と共に広告提供システム９を構成している。この広告提供装置１は、例えば、図１（ａ）〜図２（ａ）に示すように、クラウド９１を介して、仲介業者９０から取得した広告１２１を車両８の外に向けて提供するものである。なお広告１２１は、例えば、仲介業者９０ではなく、広告１２１の表示を依頼したクライアント、広告１２１を制作した会社などから取得されても良い。
【００１５】
この広告提供装置１は、例えば、図１（ａ）〜図２（ａ）に示すように、車両外に向けて広告１２１を提供する広告提供部１２と、車両内の乗員の動きを判定し、判定した乗員の動きに応じて広告１２１を変化させるように広告提供部１２を制御する制御部１８と、を備えて概略構成されている。
【００１６】
また広告提供装置１は、例えば、図１（ｂ）に示すように、乗員を撮像する撮像部１０と、広告１２１の変化の回数をカウントするカウント部１４と、を備えている。
【００１７】
広告１２１は、例えば、画像として提供されるが音や光を伴って提供されても良い。本実施の形態の広告１２１は、例えば、図２（ａ）に示すように、車両８の本体８０の後方ドア８２のサイドガラス８２０に表示された画像である。この車両８は、一例として、４つのドア（４ドア）を有しているがこれに限定されず、２つのドア（２ドア）を有する車両やスライドドアを有する車両であっても良い。
【００１８】
この後方ドア８２は、車両８の左側のドアであり、歩道に面している。従って本実施の形態の広告１２１は、主に歩道を歩く人に対して提供される。なお広告１２１は、例えば、歩道に面する前方ドア８１のサイドガラス８１０に表示されても良い。
【００１９】
広告提供システム９は、一例として、図１（ａ）に示すように、広告提供装置１と、仲介業者９０と、クラウド９１と、を備えて概略構成されている。仲介業者９０は、例えば、広告１２１の依頼主であるクライアントと車両８のユーザとの間に入って広告１２１の表示に伴う提供料金の精算などを行う。クラウド９１は、例えば、広告提供装置１と仲介業者９０とが情報をアップロードしたり、ダウンロードしたりすることができるものである。なお広告提供装置１と仲介業者９０は、例えば、インターネットなどを介して情報のやり取りを行うように構成されても良い。
【００２０】
（撮像部１０の構成）
撮像部１０は、例えば、後部座席に着座する乗員を撮像する撮像範囲１００を有し、ＣＣＤ（Charge-Coupled Device）やＣＭＯＳ（Complementary Metal Oxide Semiconductor）などの固体撮像素子を有するカメラである。この撮像部１０は、例えば、図２（ｃ）に示すように、車両８の天井部８５に配置されている。
【００２１】
撮像部１０は、例えば、乗員を周期的に撮像し、撮像した画像の情報である撮像情報Ｓ２を制御部１８に出力するように構成されている。
【００２２】
（広告提供部１２の構成）
広告提供部１２は、広告を画像として車両８のリアガラス８３０及びサイドガラス（左右のサイドガラス８１０及びサイドガラス８２０）の少なくとも１つに表示させるように構成されている。本実施の形態の広告提供部１２は、例えば、図２（ａ）に示すように、車両８の本体８０の左側の後方ドア８２のサイドガラス８２０に広告１２１を表示するように構成されている。
【００２３】
この広告提供部１２は、例えば、図２（ｃ）に示すように、サイドガラス８２０が投影範囲１２０に含まれるように、車両８の天井部８５に配置されたプロジェクタなどである。そして広告提供部１２は、例えば、制御部１８から出力された広告情報Ｓ３に基づいて画像としての広告１２１をサイドガラス８２０の表示領域８２１に投影するように構成されている。
【００２４】
（カウント部１４の構成）
カウント部１４は、例えば、図１（ｂ）に示すように、制御部１８から出力された変化情報Ｓ４に基づいて広告１２１が乗員の動きに応じて変化した回数をカウントするように構成されている。またカウント部１４は、例えば、広告１２１の表示回数をカウントする。カウント部１４は、例えば、カウントしたこれらの回数の情報である回数情報Ｓ５を生成して制御部１８に出力する。
【００２５】
（通信部１６の構成）
通信部１６は、例えば、図１（ａ）に示すように、クラウド９１を経由して仲介業者９０と通信を行うように構成されている。通信部１６は、例えば、元広告情報Ｓ１を、クラウド９１を介して取得すると共に、後述する料金情報Ｓ６を、クラウド９１を介して仲介業者９０に出力する。この元広告情報Ｓ１とは、例えば、変化させる前の広告１２１に関する情報である。
【００２６】
（制御部１８の構成）
制御部１８は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１８が動作するためのプログラムが格納されている。ＲＡＭは、例えば、一時的に演算結果などを格納する記憶領域として用いられる。
【００２７】
制御部１８は、カウント部１４がカウントした広告１２１の変化の回数に応じて広告１２１の提供による提供料金の追加分を算出する。この広告１２１の提供は、例えば、提供する時間、場所などに基づいて提供料金（基本料金）が設定される。制御部１８は、広告１２１の変化の回数に応じてこの提供料金に追加して請求する追加料金を算出し、提供料金と追加料金を加算した請求料金を料金情報Ｓ６として出力する。
【００２８】
なお提供料金は、例えば、広告１２１の表示回数に比例して料金が上がる。また提供料金は、例えば、広告１２１を表示する時間の長さに比例して料金が上がる。さらに提供料金は、例えば、広告１２１を表示する場所に応じて料金が変わっても良い。従って制御部１８は、表示回数、表示する時間の長さ、表示する場所などに応じて提供料金を算出する。
【００２９】
仲介業者９０は、クラウド９１を介して、料金情報Ｓ６を取得すると、この料金情報Ｓ６に基づいて車両８のユーザに対し、クライアントに代わって広告１２１の提供による対価を支払う。
【００３０】
制御部１８は、判定した乗員の動きに応じて広告１２１を変化させるように構成されている。この乗員の動きは、予め定められた動きである。本実施の形態では、この予め定められた動きの一例としてサイドガラス８２０に向かって手７を振る動作について説明するがこれに限定されず、円を描く動作、両手で振る動作、予め定められた図形を描く動作などであっても良い。変形例として広告１２１は、例えば、予め定められた動作ごとに異なる変化を行うようにされても良い。なお乗員は、運転席以外に着座する乗員である。
【００３１】
ここで制御部１８は、広告１２１として表示された画像の色の変化、形状の変化、画像の切替及び画像の重畳の少なくとも１つによって広告１２１を変化させる。続いて以下では、広告１２１の変化の種類について説明する。
【００３２】
・広告１２１の画像の色の変化について
図３（ａ）〜図３（ｃ）は、実施の形態に係る広告提供装置の広告の画像の色の変化の一例を説明するための概略図である。以下では、一例として、図２（ｂ）に示すように、後部座席に着座する乗員がサイドガラス８２０越しに手７を外に向かって振った場合の広告１２１の画像の変化について説明する。広告１２１として表示される画像は、一例として、「ＳＰＲＩＮＧ  ＳＡＬＥ」などである。
【００３３】
制御部１８は、撮像部１０から取得した撮像情報Ｓ２に基づいて乗員の動きを監視する。制御部１８は、例えば、図２（ｂ）に示すように、乗員がサイドガラス８２０に向かって手７を振ったと判定すると、広告１２１を変化させるための広告情報Ｓ３を生成する。
【００３４】
広告提供部１２は、広告情報Ｓ３に基づいて広告１２１の画像の色を変化させる。図３（ａ）〜図３（ｃ）の場合、手７の位置に応じて広告１２１の画像の色が変化している。なお色の変化は、例えば、ハイライトによる色の変化、グラデーションによる色の変化などでも良いし、これらが組み合わされても良い。また色の変化は、例えば、決められた配列で並ぶ複数の色が右から左、左から右へと手７の位置に応じて移動するものであっても良い。
【００３５】
例えば、図３（ａ）に示すように、手７が紙面の左側に位置する場合、手７の位置に対応する左側の文字の色が変化する。続いて例えば、図３（ｂ）に示すように、手７が紙面の中央に位置する場合、手７の位置に対応する中央の文字の色が変化する。続いて例えば、図３（ｃ）に示すように、手７が紙面の右側に位置する場合、手７の位置に対応する右側の文字の色が変化する。
【００３６】
制御部１８は、例えば、図３（ａ）〜図３（ｃ）の紙面左から右へと変わる色の変化を広告１２１の変化として変化情報Ｓ４を出力する。カウント部１４は、この変化情報Ｓ４に基づいて広告１２１の変化をカウントする。
【００３７】
なお乗員が振った手７を戻す、つまり図３（ａ）〜図３（ｃ）の紙面右から左方向に手７を振ると、制御部１８は、例えば、左から右に手７を振った場合と逆方向に色を変化させる。カウント部１４は、一例として、左から右、右から左に手７を振った場合、２回、広告１２１が変化したとカウントする。
【００３８】
・広告１２１の画像の形状の変化について
図４（ａ）〜図４（ｃ）は、実施の形態に係る広告提供装置の広告の画像の形状の変化の一例を説明するための概略図である。
【００３９】
広告提供部１２は、広告情報Ｓ３に基づいて広告１２１の画像の形状を変化させる。図４（ａ）〜図４（ｃ）の場合、手７の位置に応じて広告１２１の画像の形状が変化している。
【００４０】
例えば、図４（ａ）に示すように、手７が紙面の左側に位置する場合、手７の位置に対応する左側の文字（「ＳＰ」と「Ｓ」）の形状が他の文字より大きくなっている。続いて例えば、図４（ｂ）に示すように、手７が紙面の中央に位置する場合、手７の位置に対応する中央の文字（「ＲＩ」と「ＡＬ」）の形状が他の文字の形状より大きくなっている。続いて例えば、図４（ｃ）に示すように、手７が紙面の右側に位置する場合、手７の位置に対応する右側の文字（「ＮＧ」と「ＬＥ」）の形状が他の文字より大きくなっている。
【００４１】
制御部１８は、例えば、図４（ａ）〜図４（ｃ）の紙面左から右へと変わる形状の変化を広告１２１の変化として変化情報Ｓ４を出力する。カウント部１４は、この変化情報Ｓ４に基づいて広告１２１の変化をカウントする。
【００４２】
・広告１２１の画像の切替について
図４（ｄ）〜図４（ｆ）は、実施の形態に係る広告提供装置の広告の画像の切替の一例を説明するための概略図である。
【００４３】
広告提供部１２は、広告情報Ｓ３に基づいて広告１２１の画像を切り替える。図４（ｄ）〜図４（ｆ）の場合、手７の位置に応じて広告１２１の画像が切り替わっている。
【００４４】
例えば、図４（ｄ）に示すように、手７が紙面の左側に位置する場合、手７の位置に対応する左側の文字（「ＳＰ」と「ＳＡ」）の画像のみが表示される。続いて例えば、図４（ｅ）に示すように、手７が紙面の中央に位置する場合、手７の位置に対応する中央の文字（「ＲＩ」と「Ｌ」）を追加した画像に切り替わる。続いて例えば、図４（ｆ）に示すように、手７が紙面の右側に位置する場合、手７の位置に対応する右側の文字（「ＮＧ」と「Ｅ」）を追加した画像に切り替わる。
【００４５】
制御部１８は、例えば、図４（ｄ）〜図４（ｆ）の紙面左から右へと文字が追加される画像の切替を広告１２１の変化として変化情報Ｓ４を出力する。カウント部１４は、この変化情報Ｓ４に基づいて広告１２１の変化をカウントする。
【００４６】
図５（ａ）〜図５（ｃ）は、実施の形態に係る広告提供装置の広告の画像の切替の他の一例を説明するための概略図である。図４（ｄ）〜図４（ｆ）は、文字が追加される例について説明したが、以下では、別の画像に切り替わる例について説明する。
【００４７】
例えば、図５（ａ）に示すように、手７が紙面の左側に位置する場合、広告１２１として「ＳＰＲＩＮＧ  ＳＡＬＥ」の画像が表示される。続いて例えば、図５（ｂ）に示すように、手７が紙面の中央に位置する場合、「ＳＰＲＩＮＧ  ＳＡＬＥ」の画像から「Ａ月Ｂ日  ＡＭＸＸ：ＹＹ  ＳＴＡＲＴ」の画像に切り替わる。続いて例えば、図５（ｃ）に示すように、手７が紙面の右側に位置する場合、図５（ａ）に示す「ＳＰＲＩＮＧ  ＳＡＬＥ」の画像と同じ画像に切り替わる。
【００４８】
制御部１８は、例えば、図５（ａ）〜図５（ｃ）に示すように、異なる画像への切替を広告１２１の変化として変化情報Ｓ４を出力する。カウント部１４は、この変化情報Ｓ４に基づいて広告１２１の変化をカウントする。
【００４９】
・広告１２１の画像の重畳について
図５（ｄ）〜図５（ｆ）は、実施の形態に係る広告提供装置の広告の画像の重畳の一例を説明するための概略図である。
【００５０】
広告提供部１２は、広告情報Ｓ３に基づいて広告１２１の画像に対して別の画像を重畳する。図５（ｄ）〜図５（ｆ）の場合、手７の位置に応じて重畳画像１２２が広告１２１の画像に重畳される。
【００５１】
例えば、図５（ｄ）に示すように、手７が紙面の左側に位置する場合、手７の位置に対応する位置に重畳画像１２２が元の画像（ＳＰＲＩＮＧ  ＳＡＬＥの文字画像）に重畳される。この重畳画像１２２は、一例として、点滅する複数の星である。続いて例えば、図５（ｅ）に示すように、手７が紙面の中央に位置する場合、手７の位置に対応する位置に重畳画像１２２が元の画像に重畳される。続いて例えば、図５（ｆ）に示すように、手７が紙面の右側に位置する場合、手７の位置に対応する位置に重畳画像１２２が元の画像に重畳される。つまり図５（ｄ）〜図５（ｆ）では、重畳画像１２２が手７の位置に応じて左から右に点滅しながら流れるように表示される。
【００５２】
制御部１８は、例えば、図５（ｄ）〜図５（ｆ）の紙面左から右へと重畳画像１２２が流れる画像の重畳を広告１２１の変化として変化情報Ｓ４を出力する。カウント部１４は、この変化情報Ｓ４に基づいて広告１２１の変化をカウントする。
【００５３】
ここでは、広告１２１の変化の一例として、画像の色の変化、形状の変化、画像の切替、及び画像の重畳について説明したが広告１２１の変化としてこれに限定されない。また広告１２１の変化としては、例えば、画像の色の変化、形状の変化、画像の切替、及び画像の重畳を組み合わせても良い。
【００５４】
以下に本実施の形態の広告提供装置１の動作の一例について図６のフローチャートに従って説明する。
【００５５】
（動作）
制御部１８は、車両外に向けて広告を提供する。具体的には、制御部１８は、例えば、図１（ａ）及び図１（ｂ）に示すように、クラウド９１及び通信部１６を介して、仲介業者９０から元広告情報Ｓ１を取得し、この元広告情報Ｓ１に基づいて生成した広告情報Ｓ３を広告提供部１２に出力して広告１２１を表示させる（Ｓｔｅｐ１）。
【００５６】
次に制御部１８は、車両内の乗員の動きを判定し、判定した乗員の動きに応じて広告を変化させる。具体的には、制御部１８は、例えば、撮像部１０から取得する撮像情報Ｓ２に基づいて乗員が予め定められた動きを行うか監視する。制御部１８は、乗員に予め定められた動きがある場合（Ｓｔｅｐ２：Ｙｅｓ）、判定した動きに応じて広告１２１を変化させる広告情報Ｓ３を生成して広告提供部１２に出力し、判定した動きに応じて広告１２１を変化させる（Ｓｔｅｐ３）。
【００５７】
次に制御部１８は、広告の変化の回数に応じて広告の提供による提供料金の追加分を算出する。具体的には、制御部１８は、広告１２１の変化に応じた変化情報Ｓ４をカウント部１４に出力し、広告１２１の変化の回数をカウントさせる（Ｓｔｅｐ４）。続いて制御部１８は、広告１２１の提供が終了する場合（Ｓｔｅｐ５：Ｙｅｓ）、カウント部１４から回数情報Ｓ５を取得し、変化の回数に基づいて提供料金の追加分を算出する（Ｓｔｅｐ６）。
【００５８】
次に制御部１８は、提供料金とその追加分の料金を加算して請求料金を算出し、算出した請求料金に基づいて料金情報Ｓ６を生成し、通信部１６及びクラウド９１を介して、仲介業者９０に出力して広告１２１の提供を終了する（Ｓｔｅｐ７）。なお提供料金は、例えば、広告１２１の表示回数、表示する時間の長さ、表示する場所などに応じて算出されたものである。
【００５９】
ここでステップ２において制御部１８は、乗員に予め定められた動きがない場合（Ｓｔｅｐ２：Ｎｏ）、ステップ５に処理を進める。
【００６０】
またステップ５において制御部１８は、広告１２１の表示が継続している場合（Ｓｔｅｐ５：Ｎｏ）、ステップ２に処理を進める。
【００６１】
（実施の形態の効果）
本実施の形態に係る広告提供装置１は、宣伝効果を高めることができる。この広告提供装置１は、乗員の動きに応じて広告１２１が固定ではなく変化するので、広告の表示が固定されている場合と比べて、歩道を歩く人の目を引き易く、宣伝効果を高めることができる。
【００６２】
広告提供装置１は、乗員が車両外の人たちに対して手を振るという自然かつ能動的な動作に連動して広告１２１を変化させるので、この構成を採用しない場合と比べて、乗員にとって広告１２１の変化のさせ方が分かり易く、当該車両外の人たちに対して宣伝効果が高い。
【００６３】
広告提供装置１は、広告１２１が変化する回数に応じて提供料金の追加分の料金を算出するので、広告の表示が固定されている場合と比べて、車両のユーザが提供料金の追加分を得ることができる。
【００６４】
ここで他の実施の形態としての広告提供装置１は、車両外に向けて広告を提供し、車両内の乗員の動きを判定し、判定した乗員の動きに応じて広告を変化させ、広告の変化の回数に応じて広告の提供による提供料金の追加分を算出する、広告提供方法を実行するように構成される。
【００６５】
上述の実施の形態及び変形例に係る広告提供装置１及び広告提供方法は、例えば、用途に応じて、その一部が、コンピュータが実行するプログラム、ＡＳＩＣ（Application Specific Integrated Circuit）及びＦＰＧＡ（Field Programmable Gate Array）などによって実現されても良い。
【００６６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６７】
１…広告提供装置、７…手、８…車両、９…広告提供システム、１０…撮像部、１２…広告提供部、１４…カウント部、１６…通信部、１８…制御部、８０…本体、８１…前方ドア、８２…後方ドア、８５…天井部、９０…仲介業者、９１…クラウド、１００…撮像範囲、１２０…投影範囲、１２１…広告、１２２…重畳画像、８１０…サイドガラス、８２０…サイドガラス、８２１…表示領域、８３０…リアガラス
【図１】
2019184634.tif 000003
【図２】
2019184634.tif 000004
【図３】
2019184634.tif 000005
【図４】
2019184634.tif 000006
【図５】
2019184634.tif 000007
【図６】
2019184634.tif 000008